(57)【特許請求の範囲】
【請求項１】
プラグの栓刃が挿入される一対の挿入口が開口したカバーと、カバーで覆われるボディと、ボディ内部に納装されて上記挿入口を通して挿入される栓刃の先端に接触する受け金と、受け金を外部回路に電気的に接続する端子と、挿入口と受け金との間に回動自在に配置されて栓刃の挿入時に挿入口を開放する位置に移動する防塵用の扉と、扉を挿入口を閉塞する方向に向けてばね付勢する復帰ばねとを備えた配線用接続器であって、上記扉は挿入口を開閉する上側の扉半体と下側の扉半体とで構成され、各扉半体の一対の腕部には、互いに突き合わせたときに合わせ目を形成する部位に栓刃の挿入力を両腕部を引き離す向きの回転力に変換する摺接面が夫々形成されると共に、カバーの裏面に突設した上側回転軸が上側の扉半体の中心部に設けた軸孔の上半分に挿通すると共に、下側の扉半体の中心部には上側回転軸とは別体に構成され且つ上側の扉半体の軸孔の下半分に挿通する下側回転軸が突設されて成ることを特徴とする配線用接続器。
【請求項２】
上側回転軸及び下側回転軸が錐形に形成されていることを特徴とする請求項１記載の配線用接続器。
【発明の詳細な説明】
【０００１】
【発明の属する技術分野】
本発明は、配線用接続器に関し、詳しくはプラグの栓刃が挿入接続されるコンセントの挿入口の防塵用扉の構造に関するものである。
【０００２】
【従来の技術】
従来のこの種の配線用接続器として、図５〜図１０に示すように、相手方接続装置としてのプラグＢの栓刃８２が挿入される一対の挿入口２３が開口したカバー２０と、カバー２０で覆われるボディ１０と、ボディ１０内部に納装されて上記挿入口２３を通して挿入される栓刃８２の先端に接触する受け金（図示せず）と、受け金を外部回路に電気的に接続する端子（図示せず）と、挿入口２３と受け金との間に回動自在に配置されて栓刃８２の挿入時に挿入口２３を開放する位置に移動する防塵用の扉６０′と、扉６０′を挿入口２３を閉塞する方向に向けてばね付勢する復帰ばね６４とを備えたコンセントＡが知られている。そして、防塵用の扉６０′は、挿入口２３を開閉する上側の扉半体６０ａ′と下側の扉半体６０ｂ′とで構成されており、一方、カバー２０の裏面には回転軸２７′が突設しており、この回転軸２７′を上側の扉半体６０ａ′の軸孔６８ａ′から下側の扉半体６０ｂ′の軸孔６８ｂ′に挿入した状態で、扉半体６０ａ′，６０ｂ′をカバー２０と保持板との間に挟み込むことによって扉６０の組立てが行なわれる。尚図７中の１００はプラグを磁気吸引するための磁石部である。
【０００３】
ここで、図１０（ａ）のように両側の挿入口２３から同時にプラグＢの栓刃８２が挿入されると、両扉半体６０ａ′，６０ｂ′は回転軸２７′を回転中心として復帰ばね６４を押し広げる方向に回転し（図１０（ｂ）の状態）、栓刃８２が受け金に接触できるようになり、一方、片側のみの挿入の場合（例えば異物挿入の場合）には、図１０（ｃ）のように両扉半体６０ａ′，６０ｂ′に傾きが生じ、カバー２０の裏面に設けた片開き防止リブ１１０に引っ掛かるため、両扉半体６０ａ′，６０ｂ′は回転できず、異物挿入を防止できるようになっている。
【０００４】
【発明が解決しようとする課題】
ところで、従来のカバー２０の裏面に突設された回転軸２７′は、図８に示すように、上側の扉半体６０ａ′の軸孔６８ａ′から下側の扉半体６０ｂ′の軸孔６８ｂ′に挿入される細長いリブ状に形成されており、回転軸２７′が強度的に弱く、このため図８の仮想線で示すように、プラグＢの栓刃８２がコンセントＡに対して略垂直方向Ｄに引き抜かれると、コンセントＡのカバー２０に同方向に力が加わり、これにより細長いリブ状の回転軸２７′にこじれが発生して、回転軸２７′が根元から折れてしまう恐れがあった。
【０００５】
本発明は、上記の点に鑑みてなされたもので、防塵用の扉を軸支する回転軸の強度を増すことができる配線用接続器を提供することを目的とする。
【０００６】
【課題を解決するための手段】
上記課題を解決するために、本発明は、プラグＢの栓刃８２が挿入される一対の挿入口２３が開口したカバー２０と、カバー２０で覆われるボディ１０と、ボディ１０内部に納装されて上記挿入口２３を通して挿入される栓刃８２の先端に接触する受け金４４と、受け金４４を外部回路に電気的に接続する端子４０と、挿入口２３と受け金４４との間に回動自在に配置されて栓刃８２の挿入時に挿入口２３を開放する位置に移動する防塵用の扉６０と、扉６０を挿入口２３を閉塞する方向に向けてばね付勢する復帰ばね６４とを備えた配線用接続器であって、上記扉６０は挿入口２３を開閉する上側の扉半体６０ａと下側の扉半体６０ｂとで構成され、各扉半体６０ａ，６０ｂの一対の腕部６２ａ，６２ｂには、互いに突き合わせたときに合わせ目を形成する部位に栓刃８２の挿入力を両腕部６２ａ，６２ｂを引き離す向きの回転力に変換する摺接面６２が夫々形成されると共に、カバー２０の裏面に突設した上側回転軸２７が上側の扉半体６０ａの中心部に設けた軸孔６８の上半分６８ａに挿通すると共に、下側の扉半体６０ｂの中心部には上側回転軸２７とは別体に構成され且つ上側の扉半体６０ａの軸孔６８の下半分６８ｂに挿通可能な下側回転軸９０が突設されて成ることを特徴としており、このように構成することで、上側の扉半体６０ａについては、カバー２０の裏面に突設した上側回転軸２７によってその回転中心が決まり、しかも上側回転軸２７は上側の扉半体６０ａの軸孔６８の上半分６８ａにのみ挿通しているので、長さが短く、従って、強度的に強くなるので、例えばプラグＢの栓刃８２がコンセントＡに対して垂直方向Ｄに引き抜かれて、上側回転軸２７にこじれが生じた場合でも、上側回転軸２７が折れてしまう心配がなくなる。一方、下側の扉半体６０ｂについては、下側の扉半体６０ｂの中心部に突設されて上側の扉半体６０ａの軸孔６８の下半分６８ｂに挿通される下側回転軸９０によってその回転中心が決まり、しかもこの下側回転軸９０は上側の扉半体６０ａの軸孔６８の下半分６８ｂのみに挿通しているので、長さが短く、従って、強度的に強くなるので、例えばプラグＢの栓刃８２がコンセントＡに対して垂直方向Ｄに引き抜かれて、下側回転軸９０にこじれが生じた場合でも、下側回転軸９０が折れる心配もない。
【０００７】
また上側回転軸２７及び下側回転軸９０が錐形に形成されているのが好ましく、この場合、錐形の上側回転軸２７、下側回転軸９０の夫々の根元が肉厚となるために、根元から折れ難くすることができると共に、各回転軸２７，９０の側面が傾斜することによって、上側回転軸２７及び下側回転軸９０にこじれが発生するのを効果的に防止することができる。
【０００８】
【発明の実施の形態】
以下、本発明の実施形態の一例を説明する。
図２〜図４に示すように、コンセントＡの器体１は前面（図２の上面）が開放された合成樹脂製のボディ１０と、ボディ１０の前面側に結合されるカバー２０とにより形成される。ボディ１０とカバー２０とは略コ字形に形成された金属製の組立枠３０により結合される。組立枠３０は、カバー２０の後端部両側面に夫々突設された鍔片２１とボディ１０の側面とに跨がるように形成された組立溝２２，１２に装着され、組立枠３０の両脚片の先端部に設けられた二股部３１が開かれることによってボディ１０およびカバー２０に結合される。組立枠３０には一対の取付爪３２が突設され、ボディ１０とカバー２０とを組立枠３０で結合した状態では器体１の両側面に取付枠（図示せず）に取付けられる取付爪３２が突設されている。尚、器体１はＪＩＳ規格等で埋込型の配線器具用に規格化されている取付枠に取着することができる単位寸法の配線器具と同様の形状、寸法に形成されているのが好ましい。
【０００９】
カバー２０の前壁２０ａには略円形の一対の挿入口２３が開口している。この一対の挿入口２３はカバー２０の前壁２０ａの中央部に形成されており、カバー２０の前壁２０ａの両端位置には筒状の外周壁２４よりも内側寄りの２箇所に２個１組、計２組の磁石用貫通孔１０４が各組ごとに離間して開口している。一方、ボディ１０内の後部空間は、仕切リブ１１によって４室Ｓ１  〜Ｓ４  に分割されており、隣接する２室Ｓ１  ，Ｓ２  には後述する端子４０が夫々納装され、他の離間した２室Ｓ３  ，Ｓ４  には上記２個の磁石部１００が個別に納装される。各磁石部１００は、Ｎ極とＳ極に磁化された２枚の磁極片１０１，１０２を磁石本体１０３を挟んで積層して構成されており、各磁石部１００の先端がカバー２０の前壁２０ａに夫々形成された各磁石用貫通孔１０４を介してカバー２０の前壁２０ａの両端位置に夫々露出して配置されると共に、これら磁石用貫通孔１０４から露出する２個の磁石部１００がプラグＢの前壁に取着される２枚の磁性板（図示せず）を磁気的に吸引することによって、プラグＢを引っ張ると磁石部１００から磁性板が簡単に外れて安全を確保できるようになっている。
【００１０】
ボディ１０内の後部空間の仕切リブ１１によって仕切られた２室Ｓ１  ，Ｓ２  に納装される端子４０は、いわゆる速結端子であって、接続片４１ａを備えた端子板４１と、端子板４１との間に電線を保持する鎖錠ばね４２と、端子板４１と鎖錠ばね４２との間に保持された電線を外すための解除釦４３とを備える。鎖錠ばね４２は帯板の一方の端部を略Ｊ字形に曲成して鎖錠片４２ａを形成し、他方の端部を略Ｓ字形に曲成して接触片４２ｂを形成したものであって、鎖錠片４２ａと接触片４２ｂとの先端部はほぼ同じ向きに向いている。
【００１１】
このように形成された鎖錠ばね４２は、各端子板４１に対して一対ずつ設けられる。また、鎖錠片４２ａおよび接触片４２ｂは接続片４１ａに対向し、鎖錠片４２ａおよび接触片４２ｂと接続片４１ａとは先端部が逆向きになるように配置される。したがって、鎖錠片４２ａおよび接触片４２ｂと接続片４１ａとの間に、接続片４１ａの先端側から基端側に向かって電線を導入すると、電線は接触片４２ｂと接続片４１ａとの間に挟持されて端子板４１との電気的接続がなされ、また鎖錠片４２ａが電線に食い込むことによって電線の抜け止めがなされるのである。器体１の中には、各端子板４１に対応した一対の鎖錠ばね４２の鎖錠片４２ａに跨がるように解除釦４３が配設され、解除釦４３に後方から押力を作用させると鎖錠片４１ａが接触片４１ｂから離れる向きに撓んで電線を抜くことができるようにしてある。ボディ１０の後壁には、器体１の内部に各鎖錠ばね４２に対応して電線を導入するための複数の電線挿入孔（図示せず）が開口するとともに、解除釦４３に押力を作用させるためのマイナスドライバの先端部等を挿入するための複数の外し孔（図示せず）が開口している。
【００１２】
また、端子板４１には、プラグＢの栓刃８２の先端部が弾接する受け金４４が固着されている。受け金４４は端子板４１に対してスポット溶接などによって固着される固定片４４ａと、固定片４４ａの前端に連続一体に形成され前後方向に伸縮できるように蛇腹状に蛇行したばね体４４ｂと、プラグＢの栓刃８２の先端が当接する受け片４４ｃとを連続一体に備える。しかるに、栓刃８２が受け片４４ｃの前面（図２の上面）に接触して挿入力が作用するとばね体４４ｂが撓んでばね力が蓄積され、このばね力が栓刃８２に対する接触圧として作用するのである。受け片４４ｃには接点材４５が固着され、栓刃８２との接触の信頼性を高めるようになっている。接点材４５としては銀ニッケル合金（いわゆる銀接点）や金を用いる。
【００１３】
一方、カバー２０の後部には保持板５０が装着される。保持板５０は、前方に突出するスペーサ片５１を両側部に備えている。保持板５０の周部には係合フック５４が前方に突設されており、係合フック５４がカバー２０の内周面に設けた係合部１０６に凹凸係合することによって保持板５０がカバー２０に結合される。この保持板５０には受け金４４に対応する部位に矩形状に形成された一対の透孔５５が開口していると共に、保持板５０はカバー２０の前壁２０ａに対して後方に離間しており、カバー２０と保持板５０とに囲まれた空間には、栓刃８２の挿入時に挿入口２３を開放する位置に移動する防塵用の扉６０が配置される。
【００１４】
この防塵用の扉６０は、図１に示すように、挿入口２３を開閉する上側の扉半体６０ａと下側の扉半体６０ｂとで構成されている。また、カバー２０の裏面には上側の扉半体６０ａの軸孔６８の上半分６８ａに挿通可能な上側回転軸２７が突設されており、下側の扉半体６０ｂの中心部には上側の扉半体６０ａの軸孔６８の下半分６８ｂに挿通可能な下側回転軸９０が突設されている。本実施形態では、上側回転軸２７及び下側回転軸９０は、夫々、円錐形（或いは角錐形）に形成されており、各回転軸２７，９０の夫々の根元を肉厚にすることで、根元から折れ難くして、強度が増すようにしてある。そして、両扉半体６０ａ，６０ｂの組立ては、上側の扉半体６０ａの軸孔６８ａと下側の扉半体６０ｂの下側回転軸９０とを同軸状に配置した状態で、カバー２０の上側回転軸２７を上側の扉半体６０ａの軸孔６８の上半分６８ａに挿通し、下側の扉半体６０ｂの下側回転軸９０を上側の扉半体６０ａの軸孔６８の下半分６８ｂに挿通することによって行なわれる。
【００１５】
また、上側の扉半体６０ａは、図２に示すように、中心部の軸孔６８が貫設された部位からその両側に一対の腕部６２ｂ，６２ｂが一体形成されており、一方、下側の扉半体６０ｂは、中心部の円錐形（或いは角錐形）の下側回転軸９０が突設された部位からその両側に一対の腕部６２ａ，６２ａが一体形成されており、これら腕部６２ａ，６２ｂが互いに突き合わされる位置と、腕部６２ａ，６２ｂが離れる位置との間で扉半体６０ａ，６０ｂが回転自在となっている。また、腕部６２ａ，６２ｂにおいて互いに突き合わせたときに合わせ目を形成する部位には、挿入口２３を通して挿入される栓刃８２の挿入力を両腕部６２ａ，６２ｂを引き離す向きの回転力に変換する摺接面６５が夫々形成されている。これら摺接面６５は扉半体６０ａ，６０ｂの回転方向において復帰ばね６４のばね力が作用する向きと反対側に向けて傾斜しており、栓刃８２からの挿入力が各摺接面６５に作用すると、扉半体６０ａ，６０ｂは復帰ばね６４のばね力に抗して挿入口２３を開く向きに回転するものである。
【００１６】
さらに、各腕部６２ａ，６２ｂの先端には突片６３ａ，６３ｂが連続一体に突設され、一方、カバー２０の内面には、図１に示すように、扉半体６０ａ，６０ｂが傾いたときに挿入口２３が開かないように突片６３ａ，６３ｂに当接して扉半体６０ａ，６０ｂの回転を禁止する片開き防止リブ１１０，１１０が夫々形成されている。したがって、一対の挿入口２３の片方から何らかの部材が挿入されたとしても、上側回転軸２７の遊びによって扉半体６０ａ，６０ｂが上下に傾斜して片開き防止リブ１１０に当たることにより扉半体６０ａ，６０ｂの回転が禁止され、２個の挿入口２３が夫々開かないものである。また片開き防止リブ１１０はカバー２０の内面の左右両側に夫々設けられ、何らかの部材が片方の挿入口２３のみから挿入されて扉半体６０ａ，６０ｂがいずれの方向に傾いても、左右の片開き防止リブ１１０のいずれか一方に当接するようになっている。これに対して、両方の挿入口２３に同時に栓刃８２が挿入されたときには扉半体６０ａ，６０ｂは傾かないから、扉半体６０ａ，６０ｂは片開き防止リブ１１０に当たることなく回転して挿入口２３が開放され、挿入口２３を通して挿入された栓刃８２の先端が保持板５０の透孔５５を通って受け金４４に弾接するのである。
【００１７】
しかして、防塵用の扉６０を構成する扉半体６０ａ，６０ｂのうち、上側の扉半体６０ａについては、カバー２０の裏面に突設した上側回転軸２７によってその回転中心が決まり、しかも上側回転軸２７は上側の扉半体６０ａの軸孔６８の上半分６８ａにのみ挿通しているので、長さが短く、従って、強度的に強くなるので、プラグＢの栓刃８２がコンセントＡに対して垂直方向Ｄに引き抜かれて、上側回転軸２７にこじれが生じた場合でも、上側回転軸２７が折れてしまう心配がなくなる。
【００１８】
一方、下側の扉半体６０ｂの回転の軸となるのは、カバー２０に突設した上側回転軸２７ではなく、下側の扉半体６０ｂの中心部に突設されて上側の扉半体６０ａの軸孔６８の下半分６８ｂに挿通される下側回転軸９０であり、しかも下側回転軸９０はカバー２０の上側回転軸２７とは別体に構成されていると共に、この下側回転軸９０は上側の扉半体６０ａの軸孔６８の下半分６８ｂのみに挿通されるので、長さが短く、従って、強度的に強くなるので、プラグＢの栓刃８２がコンセントＡに対して垂直方向Ｄに引き抜かれて、下側回転軸９０のこじれに生じた場合でも、下側回転軸９０が折れる心配もなくなる。
【００１９】
このように、カバー２０より突設される上側回転軸２７の長さを短くし、且つ従来は軸孔であった下側の扉半体６０ｂの中心部分から下側回転軸９０を突設することで、上側の扉半体６０ａと下側の扉半体６０ｂの回転中心を夫々決めることができ、従って、従来の扉６０の基本構造及びその動きに変更を加えることなく、２枚組み合わせて使用する扉半体６０ａ，６０ｂの上下の回転軸の強度を増すことができるものである。
【００２０】
しかも、上記上側回転軸２７及び下側回転軸９０は夫々円錐形（或いは角錐形でもよい。）に形成されているので、各回転軸２７，９０の夫々の根元が肉厚となり、従って、各回転軸２７，９０は根元から折れ難くなるので、強度がより増すと共に、各回転軸２７，９０の側面が傾斜することによって、上側回転軸２７及び下側回転軸９０にこじれが発生するのを防いで、各回転軸２７，９０の折れを確実に防止できるものである。
【００２１】
また、上記カバー２０とこのカバー２０に装着される保持板５０との間に扉半体６０ａ，６０ｂを保持することによって、カバー２０側に扉半体６０ａ，６０ｂを組み込むことができ、従って、扉半体６０ａ，６０ｂや復帰ばね６４をカバー２０に組み付けた状態でボディ１０との組立作業を容易に行なうことができる。
【００２２】
さらに、栓刃８２の挿入力によって２つの扉半体６０ａ，６０ｂが両側に開くので、栓刃８２に対して扉半体６０ａ，６０ｂから作用する両扉半体６０ａ，６０ｂの回転方向の分力が相殺され、扉半体６０ａ，６０ｂからの力による栓刃８２の傾きを防止することができる。さらに、復帰ばね６４として、平面視コ字状の１枚の板ばねを用いたから、部品点数が少なく簡単な構成で扉半体６０ａ，６０ｂを閉じてピン等の異物の侵入を防止できると共に、両扉半体６０ａ，６０ｂを１個の復帰ばね６４で挿入口２３を閉じる向きにばね付勢しているのであって、各扉半体６０ａ，６０ｂごとに別々に復帰ばねを設ける場合よりも部品点数を削減できるという利点もある。
【００２３】
【発明の効果】
以上説明したように、本発明のうち請求項１記載の発明は、プラグの栓刃が挿入される一対の挿入口が開口したカバーと、カバーで覆われるボディと、ボディ内部に納装されて上記挿入口を通して挿入される栓刃の先端に接触する受け金と、受け金を外部回路に電気的に接続する端子と、挿入口と受け金との間に回動自在に配置されて栓刃の挿入時に挿入口を開放する位置に移動する防塵用の扉と、扉を挿入口を閉塞する方向に向けてばね付勢する復帰ばねとを備えた配線用接続器であって、上記扉は挿入口を開閉する上側の扉半体と下側の扉半体とで構成され、各扉半体の一対の腕部には、互いに突き合わせたときに合わせ目を形成する部位に栓刃の挿入力を両腕部を引き離す向きの回転力に変換する摺接面が夫々形成されると共に、カバーの裏面に突設した上側回転軸が上側の扉半体の中心部に設けた軸孔の上半分に挿通すると共に、下側の扉半体の中心部には上側回転軸とは別体に構成され且つ上側の扉半体の軸孔の下半分に挿通する下側回転軸が突設されて成るから、上側の扉半体については、カバーの裏面に突設した上側回転軸によってその回転中心が決まり、しかも上側回転軸は上側の扉半体の軸孔の上半分にのみ挿通しているので、長さが短く、従って、強度的に強くなるので、プラグの栓刃がコンセントに対して垂直方向に引き抜かれて、上側回転軸にこじれが生じた場合でも、上側回転軸が折れてしまう心配がなくなり、一方、下側の扉半体については、下側の扉半体の中心部に突設されて上側の扉半体の軸孔の下半分に挿通される下側回転軸によってその回転中心が決まり、しかもこの下側回転軸は上側の扉半体の軸孔の下半分のみに挿通しているので、長さが短く、従って、強度的に強くなるので、プラグの栓刃がコンセントに対して垂直方向に引き抜かれて、下側回転軸にこじれが生じた場合でも、下側回転軸が折れる心配もなくなる。この結果、カバーの裏面に突設される上側回転軸を上側の扉半体の軸孔の上半分に挿入される長さとし、且つ従来は軸孔であった下側の扉半体の中心部に上側の扉半体の軸孔の下半分に挿入される下側回転軸を突設するだけで、上側の扉半体と下側の扉半体の回転中心を夫々決めることができ、従って、従来の扉の基本構造及びその動きに変更を加えることなく、２枚組み合わせて使用する扉半体の上下の回転軸の強度を増すことができるものである。
【００２４】
また請求項２記載の発明は、請求項１記載の上側回転軸及び下側回転軸が錐形に形成されているから、請求項１記載の効果に加えて、錐形の上側回転軸、下側回転軸の夫々の根元が肉厚となるために、根元から折れ難くして、強度をより増すことができると共に、各回転軸の側面が傾斜することによって、上側回転軸及び下側回転軸にこじれが発生するのを効果的に防いで、各回転軸の折れを確実に防止できるものである。
【図面の簡単な説明】
【図１】本発明の一実施形態の断面図である。
【図２】同上のコンセントの分解斜視図である。
【図３】同上のコンセントの正面図である。
【図４】（ａ）（ｂ）は同上のコンセントの一部破断した側面図及び平面図である。
【図５】（ａ）は従来のコンセントの正面図、（ｂ）は扉の傾き状態の説明図である。
【図６】従来の扉を説明する一部切欠平面図である。
【図７】従来のカバーを裏面側から見た斜視図である。
【図８】従来のプラグをコンセントと垂直方向に引き抜いた場合の説明図である。
【図９】従来の扉の斜視図である。
【図１０】（ａ）〜（ｃ）は従来の扉の動作説明図である。
【符号の説明】
Ａ  コンセント
Ｂ  プラグ
１０  ボディ
２０  カバー
２３  挿入口
２７  上側回転軸
４０  端子
４４  受け金
６０  扉
６０ａ  上側の扉半体
６０ｂ  下側の扉半体
６４  復帰ばね
６８  軸孔
６８ａ  上半分
６８ｂ  下半分
８２  栓刃
９０  下側回転軸
【図１】
0003605931.tif 000002
【図２】
0003605931.tif 000003
【図３】
0003605931.tif 000004
【図４】
0003605931.tif 000005
【図５】
0003605931.tif 000006
【図６】
0003605931.tif 000007
【図７】
0003605931.tif 000008
【図８】
0003605931.tif 000009
【図９】
0003605931.tif 000010
【図１０】
0003605931.tif 000011